(57)【要約】【課題】空気調和装置への装着作業の負担を軽減させることができる製品カバー、製品カバーの着脱方法ならびに据付セットの提供。【解決手段】空気調和装置本体２の製品カバー５は、下面に吸入開口２３ａ及び吹出開口２３ｂを有する空気調和装置本体２と、空気調和装置本体２の吸入開口２３ａ及び吹出開口２３ｂに対向するように空気調和装置本体２に取り付けられる化粧パネル１０とを備える空気調和装置１における空気調和装置本体２の製品カバー５であって、製品カバー本体３と固定部材としてゴム紐4とを備えている。製品カバー本体３は、少なくとも、空気調和装置本体２の下面に配置されている吸入開口２３ａ及び吹出開口２３ｂを覆う。ゴム紐４は、製品カバー本体３を空気調和装置本体２に固定する。【選択図】図１
2008175460.tif 000002
【特許請求の範囲】
【請求項１】
下面に吸入開口（２３ａ）及び吹出開口（２３ｂ）を有する空気調和装置本体（２）と、前記吸入開口（２３ａ）及び前記吹出開口（２３ｂ）に対向するように前記空気調和装置本体（２）に取り付けられるパネル（１０）と、を備えた空気調和装置（１）における空気調和装置本体（２）の製品カバーであって、
少なくとも前記空気調和装置本体（２）の前記吸入開口（２３ａ）と前記吹出開口（２３ｂ）とを覆う製品カバー本体（３）と、
前記製品カバー本体（３）を前記空気調和装置本体（２）に固定する固定部材（４，２０４）と、
を備える空気調和装置本体の製品カバー（５）。
【請求項２】
前記固定部材（４，２０４）は前記製品カバー本体（３）と一体化されている、
請求項１に記載の空気調和装置本体の製品カバー（５）。
【請求項３】
前記パネル（１０）を前記空気調和装置本体（２）に取り付ける作業を行う前に前記空気調和装置本体（２）から取り外す旨の勧告文（２００）が付されている、
請求項２に記載の空気調和装置の製品カバー（５）。
【請求項４】
請求項１から３のいずれかに記載の製品カバー（５）が前記空気調和装置本体（２）の前記吸入開口（２３ａ）及び前記吹出開口（２３ｂ）を覆うように前記空気調和装置本体（２）に装着される製品カバー装着ステップと、
前記空気調和装置本体（２）が天井裏空間（Ｓ）に配置される空気調和装置本体の取り付けステップと、
前記空気調和装置本体（２）の前記吸入開口（２３ａ）及び前記吹出開口（２３ｂ）に対向するように前記パネル（１０）が取り付けられる前に、前記製品カバー（５）が前記空気調和装置本体（２）から取り外される製品カバー取り外しステップと、
を含む製品カバーの着脱方法。
【請求項５】
下面に吸入開口（２３ａ）及び吹出開口（２３ｂ）を有する空気調和装置本体（２）と、前記吸入開口（２３ａ）及び前記吹出開口（２３ｂ）に対向するように前記空気調和装置本体（２）に取り付けられるパネル（１０）と、を備えた空気調和装置（１）の天井への据付作業において用いられる据付ツールであって、
請求項１から４のいずれかに記載の製品カバー（５）と、
前記空気調和装置本体（２）の下面の外形寸法と略同一の形状を有し、前記空気調和装置本体（２）の下面に装着される据付用型紙（６）と、
を備える据付ツール（７）。
【請求項６】
壁掛型の空気調和装置（１０１）の室内機（１０２）に装着される室内機（１０２）の製品カバーであって、
製品カバー本体（１０３）と、
前記製品カバー本体（１０３）を前記室内機（１０２）に固定する固定部材（１０４）と、
を備える室内機の製品カバー（１０５）。
【発明の詳細な説明】
【技術分野】
【０００１】
本発明は、空気調和装置の製品カバー、特に、下面に吸入開口及び吹出開口を有する空気調和装置本体ならびに壁掛型の空気調和装置の室内機において装着される製品カバーに関する。また、下面に吸入開口及び吹出開口を有する空気調和装置本体と、空気調和装置本体の吸入開口及び吹出開口に対向するように空気調和装置本体に取り付けられるパネルとを備える空気調和装置における製品カバーの着脱方法ならびに据付ツールに関する。
【背景技術】
【０００２】
空気調和装置の据付作業においては、設備業者による空気調和装置の据付後、建設業者や内装業者による種々の施工作業が行われることが多い。この施工作業中に飛散する粉塵等が空気調和装置の表面に付着することによって、空気調和装置の品質が低下するという問題が生じる場合がある。
【０００３】
そこで、特許文献１では、天井埋込型の空気調和装置の据付において空気調和装置本体を保護するためにビニル製の保護シートが付属されており、保護シートを空気調和装置本体に貼り付けている。
【特許文献１】特開平１１−１０１４９９号公報
【発明の開示】
【発明が解決しようとする課題】
【０００４】
しかしながら、特許文献１では、保護シートを空気調和装置本体に貼り付けるために、保護シートとは別に両面テープを使用している。このため、少なからず作業者の負担が大きくなる。
【０００５】
本発明の課題は、空気調和装置の据付において、空気調和装置への装着作業の負担を軽減させることができる製品カバー、製品カバーの着脱方法ならびに据付セットを提供することにある。
【課題を解決するための手段】
【０００６】
第１発明に係る空気調和装置本体の製品カバーは、下面に吸入開口及び吹出開口を有する空気調和装置本体と、空気調和装置本体の吸入開口及び吹出開口に対向するように空気調和装置本体に取り付けられるパネルとを備える空気調和装置における空気調和装置本体の製品カバーであって、製品カバー本体と固定部材とを備えている。製品カバー本体は、少なくとも、空気調和装置本体の下面に配置されている吸入開口及び吹出開口を覆う。固定部材は、製品カバー本体を空気調和装置本体に固定する。
【０００７】
第１発明に係る空気調和装置本体の製品カバーは、固定部材を有している。このため、作業者が、製品カバー本体を空気調和装置本体に固定する際に、製品カバーを空気調和装置本体に装着することができる。
【０００８】
これによって、製品カバーを空気調和装置本体に装着する際に、作業者の負担を軽減させることができる。
【０００９】
第２発明に係る空気調和装置本体の製品カバーは、第１発明の製品カバーであって、製品カバーが有している固定部材は、製品カバー本体と一体化されている。
【００１０】
ここでは、製品カバー本体と固定部材とが一体化した構造を有する。このため、作業者が、製品カバーを空気調和装置本体に装着する際に、別途、固定部材を用いることなく製品カバー本体を空気調和装置本体に固定することができるようになる。
【００１１】
第３発明に係る空気調和装置本体の製品カバーは、第２発明の製品カバーであって、製品カバーには、空気調和装置本体にパネルを取り付ける作業を行う前に製品カバーを空気調和装置本体から取り外す旨の勧告文が付されている。勧告文には、例えば、「パネル取り付け前に取り外すこと」等の表示が含まれる。
【００１２】
ここでは、製品カバーには、空気調和装置本体の吸入開口及び吹出開口に対向するようにパネルが取り付けられる前に空気調和装置本体の吸入開口及び吹出開口を覆うように装着されている製品カバーを取り外す、という内容を含む勧告文が付されている。これによって、作業者が、パネルを空気調和装置本体に取り付ける前に空気調和装置本体から製品カバーを取り外すことを忘れる可能性を少なくすることができる。
【００１３】
なお、製品カバーに付される勧告文は、製品カバー本体、固定部材及び製品カバーに付随する部材のうちの少なくともいずれか１つに付されている。
【００１４】
第４発明に係る空気調和装置本体の製品カバーの着脱方法は、第１発明から第３発明のいずれかの製品カバーを着脱する方法であって、製品カバー装着ステップと、空気調和装置本体の取り付けステップと、製品カバー取り外しステップとを含む。製品カバー装着ステップでは、空気調和装置本体の吸入開口及び吹出開口を覆うように空気調和装置本体に製品カバーが装着される。空気調和装置本体の取り付けステップでは、空気調和装置本体が天井裏空間に配置される。製品カバー取り外しステップでは、空気調和装置本体の吸入開口及び吹出開口に対向するようにパネルが取り付けられる前に、空気調和装置本体から製品カバーが取り外される。
【００１５】
この製品カバーの着脱方法は、下面に吸入開口及び吹出開口を有する空気調和装置本体と、空気調和装置本体の吸入開口及び吹出開口に対向するように空気調和装置本体に取り付けられるパネルとを備える空気調和装置の据付作業に用いられる。この製品カバー着脱方法では、作業者が、まず、空気調和装置本体の吸入開口及び吹出開口を製品カバー本体で覆う。次に、製品カバー本体に一体化されている固定部材によって、製品カバー本体を空気調和装置本体に固定する。続いて、作業者が空気調和装置本体を天井裏空間に配置する。そして、作業者が製品カバーを空気調和装置本体から取り外す。最後に、作業者が空気調和装置本体の吸入開口及び吹出開口に対向するように空気調和装置本体にパネルを取り付ける。即ち、この製品カバーの着脱方法では、空気調和装置本体に製品カバー本体を容易に固定している。また、空気調和装置本体の吸入開口及び吹出開口に対向するように空気調和装置本体にパネルが取り付けられる前に、製品カバー本体を空気調和装置本体から容易に取り外している。
【００１６】
これによって、製品カバーの着脱作業において、作業者の負担を軽減させることができる。
【００１７】
第５発明に係る据付ツールは、下面に吸入開口及び吹出開口を有する空気調和装置本体と、空気調和装置本体の吸入開口及び吹出開口に対向するように空気調和装置本体に取り付けられるパネルとを備える空気調和装置の天井への据付作業のために空気調和装置本体に用いられる据付ツールであって、第１発明から第４発明のいずれかの製品カバーと、据付用型紙とを備える。製品カバーは、製品カバー本体と固定部材とを備えている。製品カバー本体は、少なくとも、空気調和装置本体の吸入開口及び吹出開口を覆う。固定部材は、製品カバー本体を空気調和装置本体に固定する。また、据付用型紙は、空気調和装置本体の下面の外形寸法と略同一の形状を有している。さらに、据付用型紙は、空気調和装置本体の下面に装着される。
【００１８】
第５発明に係る据付ツールは、製品カバーと据付用型紙とを備えている。製品カバーは、製品カバー本体を備えているため、空気調和装置本体の吸入開口及び吹出開口を覆うことができる。さらに、製品カバーは、固定部材を備えているため、空気調和装置本体に製品カバー本体を容易に固定することができる。また、据付用型紙は、空気調和装置本体の下面の外形寸法と略同一の形状を有している。このため、据付用型紙の外形寸法に合わせて、空気調和装置本体の天井の開口の位置決めをすることが可能になる。
【００１９】
これによって、作業者の負担を軽減させて空気調和装置本体の養生性を保つことができ、かつ、空気調和装置本体の天井の開口の位置決めをすることができる。
【００２０】
第６発明に係る室内機の製品カバーは、壁掛型の室内機を有する空気調和装置の室内機に装着される製品カバーであって、製品カバー本体と固定部材とを有している。固定部材は、製品カバー本体を室内機に固定する。
【００２１】
第６発明に係る室内機の製品カバーは、固定部材を有している。このため、作業者が、製品カバー本体を室内機に固定する作業を行う際に、製品カバーを室内機に容易に装着することができる。
【００２２】
これによって、製品カバーを空気調和装置の室内機に装着する際に、作業者の負担を軽減させることができるようになる。
【発明の効果】
【００２３】
第１発明に係る空気調和装置本体の製品カバーでは、製品カバーを空気調和装置本体に装着する際に、作業者の負担を軽減させることができる。
【００２４】
第２発明に係る空気調和装置本体の製品カバーでは、別途、固定部材を用いることなく、製品カバー本体を空気調和装置本体に固定することができる。
【００２５】
第３発明に係る空気調和装置本体の製品カバーでは、空気調和装置本体から製品カバーを取り外すことを忘れる可能性を少なくすることができる。
【００２６】
第４発明に係る製品カバーの着脱方法では、製品カバーの着脱作業において、作業者の負担を軽減させることができる。
【００２７】
第５発明に係る据付ツールでは、作業者の負担を軽減させて空気調和装置本体の養生性を保つことができ、かつ、空気調和装置本体の天井の開口の位置決めをすることができる。
【００２８】
第６発明に係る室内機の製品カバーでは、製品カバーを室内機に装着する際に、作業者の負担を軽減させることができる。
【発明を実施するための最良の形態】
【００２９】
〈第１実施形態に係る空気調和装置の製品カバー〉
〔天井埋込型空気調和装置〕
第１実施形態に係る製品カバー５を装着する空気調和装置１を図１、図２に示す。この空気調和装置１は、天井Ｕに埋め込まれた状態で設置される天井埋込型空気調和装置である。この空気調和装置１は、空気調和装置本体２と化粧パネル１０とを備えている。空気調和装置本体２は、天井Ｕの開口Ｏを臨むように天井裏空間Ｓに配置される。また、化粧パネル１０は、開口Ｏを挟んで空気調和装置本体２の吸入開口２３ａ及び吹出開口２３ｂに対向するように空気調和装置本体２に装着される。
【００３０】
空気調和装置本体２は、図１に示すように、４本の吊りボルト１１を用いて吊り下げられ、天井裏空間Ｓに配置される。また、空気調和装置本体２は、図３に示すように、内部に送風ファン２４、熱交換器２５等を収容するケーシング２１を備えている。さらに、空気調和装置本体２には、ケーシング２１の一側面から、冷媒配管１２，１３やドレン配管１４が突出するように設けられている。また、ケーシング２１は、ケーシング本体２２と、ドレンパン２３とを備えている。
【００３１】
ケーシング本体２２は、図１、図２及び図３に示すように、略直方体形状であり、下面が開口した箱状の形態を有している。
【００３２】
ドレンパン２３は、図３に示すように、ケーシング２１の下面を構成しており、ケーシング本体２２の下面の開口を覆うようにケーシング本体２２に装着される。ドレンパン２３は、その平面視において、ケーシング本体２２の天面と同様の形態を有する板状部材である。また、ドレンパン２３は、図４に示すように、吸入開口２３ａと吹出開口２３ｂとを備えている。吸入開口２３ａは、ドレンパン２３の平面視において、ドレンパン２３の短手方向の略中央付近からドレンパン２３の短手方向一端付近までの部分が略長方形状に切り欠かれるように形成される開口である。また、吹出開口２３ｂは、ドレンパン２３の平面視において、吸入開口２３ａが形成されている側とは反対側のドレンパン２３の短手方向他端付近が略長方形状に切り欠かれるように形成される開口である。
【００３３】
送風ファン２４は、図３に示すように、回転軸４１がケーシング２１の長手方向に沿って延びるようにケーシング２１内に配置されている。
【００３４】
熱交換器２５は、図３に示すように、送風ファン２４の下側の位置から送風ファン２４から遠ざかるにつれて斜め上方に延びるようにケーシング２１内に配置されている。
【００３５】
このように、ケーシング２１内には、吸入開口２３ａから吹出開口２３ｂに至る空気流路２８が形成されており、この空気流路２８内には、送風ファン２４及び熱交換器２５が配置されている。また、この空気流路２８は、吸入開口２３ａから熱交換器２５に至るまでの流路部分である吸入空気流路２８ａと、熱交換器２５から送風ファン２４を介して吹出開口２３ｂに至るまでの流路部分である吹出空気流路２８ｂとから構成されている。
【００３６】
化粧パネル１０は、図５に示すように、平面視において、ケーシング本体２２の天面よりも大きな略長方形状の部材である。また、化粧パネル１０は、吸入口３１と吹出口３２とを備えている。吸入口３１は、図４、図５に示すように、吸入開口２３ａに一致する位置に配置される略長方形状の開口である。また、吸入口３１は、図２、図４及び図５に示すように、ドレンパン２３の吸入開口２３ａを介してケーシング本体２２内に連通するように設けられている。吹出口３２は、図４、図５に示すように、吹出開口２３ｂに一致する位置に配置される略長方形状の開口である。吸入口３１には、図５に示すように、吸入口３１を覆うように吸入グリル３３が装着されている。また、図２に示すように、吸入グリル３３の上側には、フィルタ３４が配置されている。さらに、化粧パネル１０には、図３、図４に示すように、空気調和装置本体２２の下面の４つの角部にそれぞれ形成されている本体側ネジ孔２７に一致する位置にパネル側ネジ孔３５が形成されている。
【００３７】
以上のような構成を有する空気調和装置１において、図２に示すように、送風ファン２４の運転を行うと、まず、室内空気が化粧パネル１０の吸入口３１を通じフィルタ３４を介して吸入開口２３ａから吸入空気流路２８ａに吸入される。次に、吸入空気流路２８ａに吸入された空気は、熱交換器２５内を流れる冷媒と熱交換され、吹出空気流路２８ｂに流入する。吹出空気流路２８ｂに流入した空気は、送風ファン２４によって吹出開口２３ｂを介して吹出口３２から室内に吹き出される。
【００３８】
〔空気調和装置本体の製品カバー〕
製品カバー５は、図６に示すように、製品カバー本体３と、固定部材としてのゴム紐４とから構成される。
【００３９】
製品カバー本体３は、図９に示すように、空気調和装置本体２の下面よりも大きな袋状の部材である。また、ゴム紐４は、製品カバー本体３の端部３ｃに配置されており、空気調和装置本体２に製品カバー本体３を固定する。
【００４０】
製品カバー本体３の端部３ｃは内側に折り曲げられて溶着されている。これによって、製品カバー本体３の折り曲げ部近傍には、溶着部３ａと非溶着部３ｂとが形成されている。そして、この非溶着部３ｂにはゴム紐４が挿通されている。
【００４１】
ゴム紐４は、力を加えない自然状態において、空気調和装置本体２の下面の外形寸法よりも短い。しかし、ゴム紐４は、図９に示すように、空気調和装置本体２の下面を覆うことができる程度まで伸ばすことができる。
【００４２】
また、図９に示すように、製品カバー本体３には、空気調和装置本体２の吸入開口２３ａ及び吹出開口２３ｂに対向するように空気調和装置本体２に化粧パネル１０が取り付けられる前に、空気調和装置本体２に装着されている製品カバー５を取り外すという内容の勧告文２００が印刷されている。勧告文２００には、「パネル取り付け前に取り外すこと」と記されている。
【００４３】
〔据付用型紙〕
空気調和装置１の据付作業において、図７及び図８に示すように、据付用型紙６は、天井Ｕを施工する際に形成される開口Ｏの位置決めをするために、空気調和装置本体２の下面に装着される。
【００４４】
据付用型紙６は、図８に示すように、段ボールからなる一枚の平板部材であり、その外形寸法が天井Ｕの開口Ｏの寸法と一致している。また、据付用型紙６には、空気調和装置本体２に据付用型紙６を装着する際に使用される型紙側ネジ孔６ｃが形成されている。型紙側ネジ孔６ｃは、空気調和装置本体２の下面に形成された４つの本体側ネジ孔２７のそれぞれに一致する位置に配置されている。
【００４５】
〔天井埋込型空気調和装置の据付方法〕
図１、図７、図８及び図９を参照して、空気調和装置１の据付作業について説明する。
【００４６】
この空気調和装置１は、図９に示すように、出荷時から空気調和装置本体２の下面に製品カバー５が装着されている。
【００４７】
まず、設備業者等は、図１に示すように、空気調和装置本体２の下面に製品カバー５が装着されている状態で、吊ボルト１１によって空気調和装置本体２を天井裏空間Ｓに配置する。その後、冷媒配管１２，１３やドレン配管１４を空気調和装置本体２のケーシング２１の一側面に配置される図示しない接続口と接続する。
【００４８】
次に、設備業者等は、図７、図８に示すように、空気調和装置本体２の下面に据付用型紙６を装着する。据付用型紙６は、化粧パネル１０を空気調和装置本体２の下面に装着する際に使用される装着用ネジ３６を用いて、型紙側ネジ孔６ｃの位置で、空気調和装置本体２にネジ止めによって装着される。
【００４９】
そして、建設業者等が、据付用型紙６の外形寸法に合わせて天井Ｕに開口Ｏを形成するとともに、天井Ｕを施工する。その後、空気調和装置本体２から据付用型紙６が取り外され、建設業者や内装業者等によって壁や床等が施工される。
【００５０】
その後、設備業者等が空気調和装置本体２から製品カバー５を取り外す。そして、図５に示すように、化粧パネル１０を空気調和装置本体２の吸入開口２３ａ及び吹出開口２３ｂに対向するように取り付ける。化粧パネル１０は、装着用ネジ３６を用いて、空気調和装置本体２の本体側ネジ孔２７に一致する位置に形成されているパネル側ネジ孔３５の位置でネジ止めによって取り付けられる。
これにより、空気調和装置１の据付作業が完了する。
【００５１】
〈特徴〉
（１）
下面に吸入開口２３ａと吹出開口２３ｂを有する空気調和装置本体２と、空気調和装置本体２の吸入開口２３ａ及び吹出開口２３ｂに対向するように空気調和装置本体２に取り付けられる化粧パネル１０とを備える空気調和装置１では、空気調和装置本体２の据付後、建設業者や内装業者等によって種々の施工作業が行われることが多い。この施工作業中に飛散する粉塵等が空気調和装置本体２の吸入開口２３ａ及び吹出開口２３ｂに付着する可能性がある。
【００５２】
そこで、空気調和装置本体２の吸入開口２３ａ及び吹出開口２３ｂを保護するために、別部材として、空気調和装置本体２の吸入開口２３ａ及び吹出開口２３ｂを覆うための保護シートを付属させたりする場合がある。しかし、保護シートを空気調和装置本体２に固定するために、両面テープ等が使用されることが多い。このため、空気調和装置本体２に保護シートを装着する作業において、作業者の負担が増加している。さらに、両面テープ等で保護シートを固定するため、固定ミスが生じる可能性がある。
【００５３】
これに対して、上記実施形態では、空気調和装置本体２の製品カバー５は、製品カバー本体３と、固定部材として使用されるゴム紐４とを備えている。製品カバー本体３は、空気調和装置本体２の下面に配置されている吸入開口及２３ａ及び吹出開口２３ｂを覆うことができている。また、ゴム紐４は、従来使用されている両面テープ等よりも、製品カバー本体３を空気調和装置本体２に容易に固定することができている。したがって、製品カバー５を空気調和装置本体２に装着する際に、作業者の負担を軽減させることができている。また、従来使用されている両面テープ等が使用されていないため、両面テープ等の取り付け不良等の固定ミスの発生を防止することができている。
【００５４】
（２）
上記実施形態では、空気調和装置本体２の製品カバー５は、ゴム紐４と、製品カバー本体３とが一体化した構造を有している。このため、製品カバー５を空気調和装置本体２に装着する際に、さらに別の固定部材を用いることなく、製品カバー本体３を空気調和装置本体２に固定することができている。
【００５５】
（３）
上記実施形態では、空気調和装置本体２の製品カバー５は、製品カバー本体３の表面に「パネル取り付け前に取り外すこと」と印刷されている。これによって、空気調和装置本体２の吸入開口２３ａ及び吹出開口２３ｂに対向するように空気調和装置本体に化粧パネル１０を取り付ける前に、空気調和装置本体２から製品カバー５を取り外す作業を行うことを促すことができる。
【００５６】
（４）
上記実施形態では、空気調和装置本体２の製品カバー５は、製品カバー装着ステップと、空気調和装置本体の取り付けステップと、製品カバー取り外しステップとを経て着脱される。
【００５７】
このため、この製品カバー５の着脱方法では、空気調和装置本体２に製品カバー５を容易に装着することができている。また、空気調和装置本体２が天井裏空間Ｓに配置されてから空気調和装置本体２の吸入開口２３ａ及び吹出開口２３ｂに対向するように空気調和装置本体２に化粧パネル１０が取り付けられる前に、製品カバー５を空気調和装置本体２から容易に取り外すことができている。これによって、製品カバーの着脱作業において、作業者の負担を軽減させることができている。
【００５８】
（５）
上記実施形態では、据付ツール７は、製品カバー５と据付用型紙６とを備えている。製品カバー５は固定部材を備えているため、空気調和装置本体２に製品カバー本体３を容易に固定することができている。さらに、製品カバー５は、空気調和装置本体２の吸入開口２３ａ及び吹出開口２３ｂに対向するように空気調和装置本体２に化粧パネル１０が取り付けられるまでの間、空気調和装置本体２の吸入開口２３ａ及び吹出開口２３ｂを覆うように装着されている。また、据付用型紙６は空気調和装置本体２の下面に装着されて、天井Ｕの開口Ｏの位置決めが行われる。このため、据付用型紙６は、空気調和装置本体２の下面の外形寸法と略同一の形状を有している。これによって、作業者の負担を軽減させて空気調和装置本体２の吸入開口２３ａ及び吹出開口２３ｂの養生性を保つことができている。さらに、空気調和装置本体２の天井Ｕの開口Ｏの位置決めをすることができている。
【００５９】
〈第１実施形態の変形例〉
（Ａ）
上記の製品カバー５では、製品カバー５の固定部材としてゴム紐４を採用しているが、図１０に示すように、ゴム紐４の代わりに固定部材として紐状部材２０４を採用することもできる。
【００６０】
製品カバー２０５は、製品カバー本体２０３と、紐状部材２０４とを備える。製品カバー本体２０３は、空気調和装置本体２の下面よりも大きな袋状の部材である。さらに、製品カバー本体２０３は、端部近傍に貫通孔２０３ｃを備えている。貫通孔２０３ｃは、空気調和装置本体２を固定している吊りボルト１１に対応するように形成されている。また、製品カバー２０５は、製品カバー本体２０３を空気調和装置本体２に固定するための紐状部材２０４を備えている。紐状部材２０４は貫通孔２０３ｃに挿通されて、紐状部材２０４の両端が空気調和装置本体２の吊りボルト１１に結わえられる。これによって、製品カバー本体２０３が空気調和装置本体２に固定され、製品カバー２０５が空気調和装置本体２に装着される。
【００６１】
（Ｂ）
上記実施形態では、勧告文２００は、製品カバー本体３に印刷されているが、例えば、紐状部材２０４または製品カバー５に付随する部材に印刷されていてもよい。
【００６２】
〈第２実施形態に係る室内機の製品カバー〉
〔壁掛型空気調和装置の室内機〕
第２実施形態に係る製品カバー１０５を装着する室内機を備える空気調和装置１０１を図１１、図１２に示す。空気調和装置１０１は、室内の壁面Ｗに取り付けられる壁掛け型の室内機１０２を備えており、室内の冷暖房等の空気調和を行う。この、空気調和装置１０１の室内機１０２は、室内機ケーシング１２２を備えている。室内機ケーシング１２２は、正面視において、水平方向に長い略直方体形状を呈している。また、室内機ケーシング１２２は、図１２に示すように、クロスフローファン１２４、室内熱交換器１２５等を収容している。さらに、図１１に示すように、室内機ケーシング１２２の前面には、空調のための室内空気取込口１２３ａ、室内空気吹出口１２３ｂ等が形成されている。
【００６３】
室内熱交換器１２５は、接触する室内の空気との間で熱交換を行う。また、室内機１０２には、図１２に示すように、室内の空気を吸い込んで室内熱交換器１２５に通し、熱交換が行われた後の空気を室内に排出するためのクロスフローファン１２４が備えられている。クロスフローファン１２４は、長細い円筒形状に構成されており、中心軸が水平方向に平行になるように配置されている。さらに、クロスフローファン１２４は、図示しない室内ファンモータによって回転駆動される。
【００６４】
室内空気取込口１２３ａは、図１１に示すように、室内機ケーシング１２２の上部に設けられている。室内の空気は、室内空気取込口１２３ａから室内機ケーシング１２２の内部に取り込まれる。ここで取り込まれた室内の空気は、室内機ケーシング１２２内部の室内熱交換器１２５等によって調和される。室内空気吹出口１２３ｂの近傍には水平フラップ１２１が設けられている。水平フラップ１２１は、室内機１０２の長手方向に細長い形状を有する板状の部材であり、室内空気吹出口１２３ｂから吹き出される空気を案内する。水平フラップ１２１は、室内機１０２の長手方向に平行な回転軸を有しており、回転軸を中心に回転することにより、空気の案内方向を変更する。
【００６５】
これによって、室内機１０２では、室内空気取込口１２３ａから室内機１０２内に取り込まれた空気が、熱交換によって調和され、クロスフローファン１２４によって、室内空気吹出口１２３ｂを通じて再び室内に戻される。
【００６６】
〔室内機の製品カバー〕
製品カバー１０５は、図１３に示すように、製品カバー本体１０３と、固定部材としてのゴム紐１０４とから構成される。
【００６７】
製品カバー本体１０３は、室内機１０２の前面よりも大きな袋状部材である。また、ゴム紐１０４は、製品カバー本体１０３の端部１０３ｃに配置されており、室内機１０２に製品カバー本体１０３を固定する。
【００６８】
製品カバー１０５の端部１０３ｃは、内側に折り曲げられて溶着されている。これによって、製品カバー本体１０３の折り曲げ部近傍には、溶着部１０３ａと非溶着部１０３ｂとが形成されている。そして、この非溶着部１０３ｂにはゴム紐１０４が挿通されている。
【００６９】
ゴム紐１０４は、力を加えない自然状態においては、室内機１０２の前面よりも短い。しかし、ゴム紐１０４は、図１４に示すように、室内機１０２の前面を覆うができる程度まで伸ばすことができる。
【００７０】
〔室内機の据付方法〕
空気調和装置１０１の据付作業について説明する。
【００７１】
空気調和装置１０１は、図１５に示すように、製品カバー１０５が室内機１０２に装着されている状態で梱包されている。まず、図１２に示すように、設備業者等が、室内の壁面Ｗにおいて、室内機１０２の取り付けの位置決めを行い、配管貫通穴１５０がない場合には、配管貫通穴１５０の位置決めを行い、配管貫通穴１５０を形成する。次に、室内機１０２を壁面Ｗに固定するための据付板１６０を壁面Ｗに設置する。それから、製品カバー１０５を室内機１０２に装着したままの状態で、室内機１０２を据付板１６０に掛止めする。その後、冷媒配管等１１２を室内機１０２に設けられている図示しない接続口に接続し、冷媒配管等１１２を配管貫通穴１５０に通すことで、室内機１０２の据付作業が完了する。
【００７２】
また、製品カバー１０５は、内装業者による施工作業の完了後、室内機１０２から取り外される。
【００７３】
〈特徴〉
上記実施形態では、室内機１０２の製品カバー１０５は、室内の壁面Ｗに取り付けられる壁掛型の室内機１０２を有する空気調和装置１０１の室内機１０２に装着される。また、製品カバー１０５は、製品カバー本体１０３と、固定部材として紐１０４とを備えている。ゴム紐１０４は、製品カバー本体１０３を室内機１０２に容易に固定することができている。これによって、作業者の負担を軽減させることができている。さらに、保護シート等を使用しない場合と比較して、空気調和装置１０１の室内機１０２表面を粉塵等から保護することができている。
【産業上の利用可能性】
【００７４】
本発明は、空気調和装置の養生性を向上させる効果があるため、天井等の開口を臨むように配置される空気調和装置本体ならびに壁掛型の空気調和装置の室内機への適用が有用である。
【図面の簡単な説明】
【００７５】
【図１】第１実施形態に係る製品カバーを装着された空気調和装置本体の外観斜視図。
【図２】第１実施形態の空気調和装置の縦断面図。
【図３】第１実施形態の空気調和装置本体の縦断面図（図１のIII−III断面に相当）。
【図４】第１実施形態の空気調和装置本体の底面図。
【図５】第１実施形態の空気調和装置を化粧パネル側から見た概略平面図。
【図６】第１実施形態に係る製品カバーの部分断面図。
【図７】製品カバーと据付用型紙とを装着した第１実施形態の空気調和装置本体の外観斜面図。
【図８】据付用型紙を空気調和装置本体に装着する様子を示す図。
【図９】第１実施形態に係る製品カバーを空気調和装置本体に装着する様子を示す図。
【図１０】第１実施形態の変形例に係る製品カバーを装着した空気調和装置本体の外観斜視図。
【図１１】第２実施形態の空気調和装置の室内機の外観斜視図。
【図１２】第２実施形態の空気調和装置の室内機の縦断面図（図１１のIV−IV断面に相当）。
【図１３】第２実施形態に係る製品カバーの部分断面図。
【図１４】第２実施形態に係る製品カバーを空気調和装置の室内機に装着する様子を示す図。
【図１５】第２実施形態に係る製品カバーを装着した空気調和装置の室内機の図。
【符号の説明】
【００７６】
１  空気調和装置
２空気調和装置本体
３製品カバー本体
４ゴム紐（固定部材）
５製品カバー
６据付用型紙
７据付ツール
１０  化粧パネル（パネル）
２３ａ  吸入開口
２３ｂ  吹出開口
１０１  空気調和装置
１０２室内機
１０３製品カバー本体
１０４  ゴム紐（固定部材）
１０５  製品カバー
２００  勧告文
２０４  紐状部材（固定部材）
【図１】
2008175460.tif 000003
【図２】
2008175460.tif 000004
【図３】
2008175460.tif 000005
【図４】
2008175460.tif 000006
【図５】
2008175460.tif 000007
【図６】
2008175460.tif 000008
【図７】
2008175460.tif 000009
【図８】
2008175460.tif 000010
【図９】
2008175460.tif 000011
【図１０】
2008175460.tif 000012
【図１１】
2008175460.tif 000013
【図１２】
2008175460.tif 000014
【図１３】
2008175460.tif 000015
【図１４】
2008175460.tif 000016
【図１５】
2008175460.tif 000017